(57)【要約】【課題】  排紙トレイにおいて、排紙用紙の積載量超えによって処理済み印刷ジョブに続く印刷ジョブの途中で排紙が停止しないようにする。【解決手段】  ジョブ待機部７は入力された印刷ジョブを順次待機する。印刷部１１は、待機された印刷ジョブを用紙に順次画像形成して印刷し、排紙トレイに排紙する。加算部２７は、排紙完了した直近の印刷ジョブの印刷枚数と記憶部７に待機して次に印刷される待機印刷ジョブの印刷枚数とをそれらの間で加算する。印刷制御部２９は、ジョブ待機部７の印刷ジョブを印刷部１１にて順次印刷制御する。印刷制御部２９は、加算値が排紙トレイに係る積算基準枚数を超えるとき、待機印刷ジョブの排紙を基準期間停止制御する。【選択図】  図１
2011112929.tif 000002
【特許請求の範囲】
【請求項１】
入力された印刷ジョブを順次待機するジョブ待機部と、
待機された前記印刷ジョブを用紙に順次画像形成して印刷し、排紙トレイに排紙する印刷部と、
排紙完了した直近の前記印刷ジョブの印刷枚数と前記ジョブ待機部に待機して次に印刷される待機印刷ジョブの印刷枚数とをそれらの間で加算する加算部と、
前記ジョブ待機部の前記印刷ジョブを前記印刷部にて順次印刷制御するとともに、前記加算部による加算値が前記排紙トレイに係る積算基準枚数を超えるとき、前記待機印刷ジョブの排紙を基準期間にわたって停止制御する印刷制御部と、
を具備することを特徴とする画像形成装置。
【請求項２】
前記印刷制御部は、前記基準期間の経過後、前記待機印刷ジョブの印刷を開始制御する請求項１記載の画像形成装置。
【請求項３】
前記印刷制御部は、前記待機印刷ジョブの排紙を停止制御するとき、当該停止に係る警告を出力する請求項１又は２記載の画像形成装置。
【請求項４】
前記印刷制御部は、前記警告として、排紙された用紙除去を求める指示を表示部に表示制御する請求項３記載の画像形成装置。
【請求項５】
外部からの続行指示入力を受ける入力部を有し、前記印刷制御部は、前記基準期間の経過中に前記続行指示入力に基づき前記待機印刷ジョブの印刷を開始制御する請求項３又は４記載の画像形成装置。
【請求項６】
前記排紙トレイにおける用紙排紙の有無を検出する検出部を有し、前記印刷制御部は、前記基準期間の経過中に前記検出部による用紙なし検出に基づき前記待機印刷ジョブの印刷を開始制御する請求項３又は４記載の画像形成装置。
【請求項７】
入力された印刷ジョブを順次待機するジョブ待機処理と、
待機された前記印刷ジョブを印刷部にて用紙に順次画像形成して印刷し、排紙トレイに排紙する印刷処理と、
排紙完了した直近の前記印刷ジョブの印刷枚数と待機して次に印刷される待機印刷ジョブの印刷枚数とをそれらの間で加算する加算処理と、
前記印刷部を印刷制御して待機する前記印刷ジョブを印刷するとともに、前記加算処理による加算値が前記排紙トレイに係る積算基準枚数を超えるとき、前記待機印刷ジョブの排紙を基準期間にわたって停止制御する印刷制御処理と、
を具備することを特徴とする画像形成方法。
【請求項８】
前記印刷制御処理は、前記基準期間の経過後、前記待機印刷ジョブの印刷を開始する請求項７記載の画像形成方法。
【請求項９】
前記印刷制御処理は、前記待機印刷ジョブの排紙を停止制御するとき、当該停止に係る警告を出力する請求項７又は８記載の画像形成方法。
【請求項１０】
前記印刷制御処理は、前記警告として、排紙された用紙除去を求める指示を表示部に表示制御する請求項９記載の画像形成方法。
【請求項１１】
外部からの続行指示入力を受ける入力処理を有し、前記印刷制御処理は、前記基準期間の経過中に前記続行指示入力に基づき前記待機印刷ジョブの印刷を開始制御する請求項９又は１０記載の画像形成方法。
【請求項１２】
前記排紙トレイにおける用紙排紙の有無を検出する検出処理を有し、前記印刷制御処理は、前記基準期間の経過中に前記検出処理による用紙なし検出に基づき前記待機印刷ジョブの印刷を開始制御する請求項９又は１０記載の画像形成方法。
【発明の詳細な説明】
【技術分野】
【０００１】
本発明は画像形成装置および画像形成方法に係り、例えば複写機、ファクシミリ機、プリンタおよびこれらの機能を搭載した複合機（ＭＦＰ：Multi Function Peripheral）等の画像形成装置および画像形成方法の改良に関する。
【背景技術】
【０００２】
複合機等の画像形成装置にあっては、原稿から読み取る等して入力された印刷ジョブに基づき回転感光体の表面にトナー像を画像形成し、その回転感光体とこれに加圧配置された加圧ローラとの間に用紙を搬送することによって用紙にトナー像を転写して画像印刷させ、定着部によってその転写トナーを加熱定着させて排紙トレイ等に排紙する構成が良く知られている。
【０００３】
このような構成において、排紙トレイ上に所定以上の用紙が排紙されると、排紙トレイを損傷したり用紙のジャム（ＪＡＭ）の原因になり易く、工夫が必要である。
【０００４】
従来、この種の工夫として、例えば、特開２００９−４２３４７号公報（特許文献１）のような画像形成装置が提案されている。
【０００５】
この特許文献１は、画像形成がなされた用紙を積載する排紙トレイを複数備えた画像形成装置において、予約ジョブについて排紙トレイを選択する設定画面を表示する表示部と、各排紙トレイにおける用紙の現積載量を検出する検出部と、前記検出された各排紙トレイの現積載量を、一つの設定画面上に同時に表示させる制御部とを備え、出力予定枚数が排紙トレイの積載量を超える場合はその旨を表示し、用紙を積載させるべき最適な排紙トレイをユーザが容易に選択できるようにしたものである。
【０００６】
また、特開平１１−１１７９２号公報（特許文献２）のような画像形成装置も提案されている。
【０００７】
この特許文献２は、画像を形成した後に排紙された記録紙を排紙トレイがスタックし、排紙トレイに排紙する記録紙の検出を示す信号を排紙センサが出力し、排紙センサからの信号を基に排紙トレイに排紙された記録紙の枚数を排紙枚数管理部が計数し、排紙枚数管理部の計数した記録紙の枚数が排紙トレイにスタック可能な記録紙の上限枚数を基に予め定めた積算基準枚数に達すると排紙制御部が排紙動作を停止する構成を有し、出力枚数が排紙トレイの積載量を超えると出力を停止し、排紙トレイの用紙が取り除かれたことを検知するか、用紙取り除きボタン操作により出力を再開するものである。
【先行技術文献】
【特許文献】
【０００８】
【特許文献１】特開２００９−４２３４７号公報
【特許文献２】特開平１１−１１７９２号公報
【発明の概要】
【発明が解決しようとする課題】
【０００９】
しかし、上述した特許文献１は、複数の排出トレイを持つ大型の画像形成装置に適するものであり、小型の装置では別の排出トレイを設置、選択することが困難で、印刷ジョブが溜まってＪＡＭを発生させ易い難点がある。
【００１０】
また、特許文献２では、停止時には複数ユーザの印刷ジョブが混在した場合、取り除いた用紙をジョブ毎に仕分けする必要があり、操作が煩雑である
【００１１】
そこで、本発明者は、小型の画像形成装置における使用態様および動作機能を詳細に検討した結果、画像形成装置の使用者が排紙トレイから印刷済み用紙を取り忘れても、これを長期間にわたって放置する例が少なく、一般的には比較的短期間で印刷済み用紙を回収することが多い点に着目し、本発明を完成させた。
【００１２】
本発明はそのような課題を解決するためになされたもので、簡単な構成により、排紙トレイにおいて排紙用紙の積載量超えが発生しても、処理済み印刷ジョブに続く印刷ジョブの排紙途中で排紙を停止させ難く、生産性の維持を図り易い画像形成装置の提供を目的とする。
【課題を解決するための手段】
【００１３】
そのような課題を解決するために本発明の請求項１に係る画像形成装置は、入力された印刷ジョブを順次待機するジョブ待機部と、待機された印刷ジョブを用紙に順次画像形成して印刷し、排紙トレイに排紙する印刷部と、排紙完了した直近の印刷ジョブの印刷枚数とジョブ待機部に待機して次に印刷される待機印刷ジョブの印刷枚数とをそれらの間で加算する加算部と、そのジョブ待機部の印刷ジョブを印刷部にて順次印刷制御するとともに、その加算部による加算値が排紙トレイに係る積算基準枚数を超えるとき、待機印刷ジョブの排紙を基準期間にわたって停止制御する印刷制御部と、を具備している。
【００１４】
本発明の請求項２に係る画像形成装置は、上記印刷制御部が、その基準期間の経過後、その待機印刷ジョブの印刷を開始制御する構成である。
【００１５】
本発明の請求項３に係る画像形成装置は、上記印刷制御部が、その待機印刷ジョブの排紙を停止制御するとき、当該停止に係る警告を出力する構成である。
【００１６】
本発明の請求項４に係る画像形成装置は、上記印刷制御部が、その警告として、排紙された用紙除去を求める指示を表示部に表示制御する構成である。
【００１７】
本発明の請求項５に係る画像形成装置は、外部からの続行指示入力を受ける入力部を有し、上記印刷制御部が、その基準期間の経過中にその続行指示入力に基づき待機印刷ジョブの印刷を開始制御する構成である。
【００１８】
本発明の請求項６に係る画像形成装置は、上記排紙トレイにおける用紙排紙の有無を検出する検出部を有し、上記印刷制御部が、その基準期間の経過中に検出部による用紙なし検出に基づき待機印刷ジョブの印刷を開始制御する構成である。
【００１９】
本発明の請求項７に係る画像形成方法は、入力された印刷ジョブを順次待機するジョブ待機処理と、待機された前記印刷ジョブを印刷部にて用紙に順次画像形成して印刷し、排紙トレイに排紙する印刷処理と、排紙完了した直近の印刷ジョブの印刷枚数と待機して次に印刷される待機印刷ジョブの印刷枚数とをそれらの間で加算する加算処理と、その印刷部を印刷制御して待機する印刷ジョブを印刷させるとともに、その加算処理による加算値が排紙トレイに係る積算基準枚数を超えるとき、待機印刷ジョブの排紙を基準期間にわたって停止制御する印刷制御処理とを具備している。
【００２０】
本発明の請求項８に係る画像形成方法は、上記印刷制御処理が、その基準期間の経過後、その待機印刷ジョブの印刷を開始する構成である。
【００２１】
本発明の請求項９に係る画像形成方法は、上記印刷制御処理が、その待機印刷ジョブの排紙を停止制御するとき、当該停止に係る警告を出力する構成である。
【００２２】
本発明の請求項１０に係る画像形成方法は、上記印刷制御処理が、その警告として、排紙された用紙除去を求める指示を表示部に表示制御する構成である。
【００２３】
本発明の請求項１１に係る画像形成方法は、外部からの続行指示入力を受ける入力処理を有し、上記印刷制御処理が、その基準期間の経過中に続行指示入力に基づき待機印刷ジョブの印刷を開始制御する構成である。
【００２４】
本発明の請求項１２に係る画像形成方法は、上記排紙トレイにおける用紙排紙の有無を検出する検出処理を有し、上記印刷制御処理が、その基準期間の経過中に検出処理による用紙なし検出に基づきその待機印刷ジョブの印刷を開始制御する構成である。
【発明の効果】
【００２５】
このような本発明の請求項１、７に係る画像形成装置および画像形成方法では、入力された印刷ジョブを順次待機させ、待機された印刷ジョブを順次印刷部にて用紙に画像形成して印刷し、排紙トレイに排紙し、排紙完了した直近の印刷ジョブの印刷枚数と待機して次に印刷される待機印刷ジョブの印刷枚数との間でそれらを加算し、この加算値が排紙トレイに係る積算基準枚数を超えるとき、待機印刷ジョブの排紙を基準期間にわたって停止制御するから、排紙トレイにおいて、処理済み印刷ジョブに続く印刷ジョブの排紙途中で、排紙用紙の積載量超えによって排紙を停止させ難く、生産性の維持を図り易い。
【００２６】
本発明の請求項２、８に係る画像形成装置および画像形成方法では、その基準期間の経過後、その待機印刷ジョブの印刷を開始するから、必要以上に印刷ジョブの印刷実行を遅延させ難い。
【００２７】
本発明の請求項３、９に係る画像形成装置および画像形成方法では、その待機印刷ジョブの排紙を停止制御するとき当該停止に係る警告を出力するから、使用者に注意を促し易く、この観点からも生産性の維持を図り易い。
【００２８】
本発明の請求項４、１０に係る画像形成装置および画像形成方法では、その警告として、排紙された用紙除去を求める指示を表示部に表示制御するから、処理済み印刷ジョブの除去を使用者に促し易く、生産性の維持を図り易い。
【００２９】
本発明の請求項５、１１に係る画像形成装置および画像形成方法では、その基準期間の経過中に、続行指示入力に基づき待機印刷ジョブの印刷処理を開始制御するから、使用者の希望に応じて待機印刷ジョブの印刷を開始可能で、印刷ジョブの印刷を早めることが容易である。
【００３０】
本発明の請求項６、１２に係る画像形成装置および画像形成方法は、その基準期間の経過中に検出処理による用紙なし検出に基づきその待機印刷ジョブの印刷処理を開始制御するから、処理済み印刷ジョブの除去に応じて待機印刷ジョブの印刷を自動的に開始可能であり、印刷ジョブの印刷処理を早めることが容易である。
【図面の簡単な説明】
【００３１】
【図１】本発明に係る画像形成装置の実施の形態を示す概略ブロック図である。
【図２】本発明に係る画像形成装置の内部構成を示す要部構成図である。
【図３】本発明に係る画像形成装置における待機印刷ジョブの状態を説明する図である。
【図４】本発明に係る画像形成装置の操作パネル部を説明する図である。
【図５】本発明に係る画像形成装置の動作を説明するフローチャートである。
【発明を実施するための最良の形態】
【００３２】
以下、本発明の実施の形態を図面を参照して説明する。
【００３３】
図１は本発明に係る画像形成装置の概略ブロック図である。
【００３４】
図１において、画像形成装置Ａは、主制御部１を中心にして画像読取部３、通信部５、記憶部７、操作パネル部９および印刷部１１を有し、例えば複合機を構成している。なお、画像形成装置Ａとしてはこれ以外にも種々の構成を有するが、本発明の要部ではないので説明および図示を省略する。
【００３５】
主制御部１は、画像読取部３、通信部５、記憶部７、操作パネル部９および印刷部１１を制御するものであるが、詳細は後述する。
【００３６】
画像読取部３は、例えば図２に示すように、画像形成装置Ａの本体ケース１３の上部に配置され、主制御部１の制御の下、例えば印刷された原稿から画像を光学的に読み込み、フィルタ処理等をして電子的印刷ジョブを生成する公知のスキャナー等であり、生成した印刷ジョブが記憶部７に順次記憶されるようになっている。画像形成装置Ａの内部構成については後述する。
【００３７】
図１に戻って、通信部５は、主制御部１の制御の下、ネットワークを介して例えば他の複合機（何れも図示せず。）との間で、画像や文書を含む印刷ジョブを所定のプロトコルで受信し、記憶部７に順次記憶するインターフェース部である。
【００３８】
記憶部７は、画像読取部３や通信部５からの印刷ジョブ、主制御部１の動作プログラムの他、動作画面データ等を格納する読み書き可能な例えばハードディスク（ＨＤＤ）である。
【００３９】
記憶部７は、主制御部１の制御の下、例えば図３に示すように、画像読取部３および通信部５からの印刷ジョブ１、２、３、４、…を記憶待機し、入力順又は操作パネル部９からの指示順に印刷部１１に出力するジョブ待機部として機能する。
【００４０】
操作パネル部９は、例えば図２の画像形成装置Ａの本体ケース１３の上部に配置され、画像形成装置Ａの動作状態を表示する液晶形の表示部として機能するとともに、印刷する印刷媒体である用紙の選択、印刷の開始（再開）又は中止、図示はしないが、印刷部数等の指示入力部としての機能他を受付ける入力部として機能しており、主制御部１によって制御される。
【００４１】
すなわち、操作パネル部９は、主制御部１の制御の下、例えば図４に示すように、Ａ４、Ａ３、Ｂ４等の用紙を選択する用紙選択画面９ａを表示し、その用紙選択キー９ｂ、印刷の開始キー９ｃおよび中止キー９ｄ等を表示するとともにこれらの入力を受け付け、主制御部１に出力する機能を有している。
【００４２】
操作パネル部９は、後述するように、印刷部１１の動作停止や動作によって排紙トレイ２３に排紙された用紙除去を求める指示「印刷を停止します。排紙トレイの用紙を取り除いてください。」といった警告情報９ｅの表示も可能になっている。
【００４３】
印刷部１１は、図２の画像形成装置Ａの本体ケース１３内に配置され、寸法の異なる用紙がセットされる複数の給紙段１５ａ、１５ｂと、これらの給紙段１５ａ、１５ｂから１次給紙された用紙を２次給紙する過程で、その用紙に印刷ジョブデータを転写して画像形成する転写部１７と、転写された画像を定着する定着部１９と、片面に画像が転写定着された用紙を両面印刷用に表裏反転させて転写部１７に戻す反転搬送部２１等を有する、画像形成部としてのカラー又はモノクロ印刷エンジンである。
【００４４】
なお、印刷部１１は、操作パネル部９から印刷ジョブについて印刷指示（開始）がなされると、記憶部７の待機順に用紙に画像形成して印刷排紙する
【００４５】
本体ケース１３の側面上部には、印刷部１１で印刷された用紙が排紙される排紙口に排紙トレイ２３が配置されており、排紙トレイ２３には用紙排紙の有無を検出する検出部２５が配置され、印刷部を形成している。
【００４６】
検出部２５は、排紙トレイ２３に排紙された用紙の重さや接触状況等を検出するとともに、排紙のない状態も検出して検出信号を主制御部１に出力するセンサである。
【００４７】
図１の主制御部１は、ＣＰＵ、このＣＰＵの起動プログラムを格納したメモリ部、入出力インターフェース（いずれも図示せず。）を有し、上述した画像読取部３、通信部５、記憶部７、操作パネル部９および印刷部１１を制御するとともに、記憶部７の印刷ジョブデータを印刷部１１に順次出力して印刷制御するとともに、加算部２７および印刷制御部２９としての機能を有している。
【００４８】
加算部２７は、排紙完了した直近の印刷ジョブの印刷枚数と記憶部（ジョブ待機部）７に待機し次に印刷される待機印刷ジョブの印刷枚数とを、それらの間で加算して加算値を演算する機能を有している。
【００４９】
加算部２７は、加算値を出力した後で加算値をクリアし、印刷ジョブの排紙完了の都度、排紙完了した直近の印刷ジョブの印刷枚数と待機印刷ジョブの印刷枚数との間で加算演算する機能を有している。
【００５０】
なお、印刷ジョブの印刷枚数は、上述した転写部１７で頁毎のイメージデータに展開して画像形成する際に、その頁数から取得可能である。
【００５１】
印刷制御部２９は、記憶部７の印刷ジョブを印刷部１３にて順次印刷制御するとともに、印刷ジョブの印刷された用紙の排紙完了を検出し、予め設定された積算基準枚数をその加算値が超えるとき、待機印刷ジョブの排紙を基準期間、例えば５分間停止制御し、当該期間が経過したとき、待機印刷ジョブの印刷を開始する機能を有している。
【００５２】
なお、排紙の停止は、具体的には給紙段１５ａ、１５ｂからの給紙の停止、又は図示しないレジストローラでの２次給紙の停止等がある。
【００５３】
印刷制御部２９は、待機印刷ジョブの排紙を停止制御するとき、当該停止に係る警告として、図４に示すように、印刷停止されている旨の表示や、排紙された用紙除去を求める指示「印刷を停止します。排紙トレイの用紙を取り除いてください。」といった警告情報９ｅを操作パネル部９で表示制御する機能を有している。
【００５４】
印刷制御部２９は、操作パネル部９の例えば開始キー９ｃから印刷の続行指示入力を受けたとき、これに基づき基準期間の経過の途中であっても待機印刷ジョブの印刷を開始制御する機能を有している。
【００５５】
さらに、印刷制御部２９は、基準期間の経過中に検出部２５による用紙なしの検出信号に基づき、待機印刷ジョブの印刷を開始制御する機能も有している。
【００５６】
次に、本発明に係る画像形成装置Ａの動作を簡単に説明する。
【００５７】
動作プログラムが開始すると、ステップＳ１において印刷ジョブを入力して待機させるとともに（ジョブ待機処理）、これに基づき印刷部１１が印刷ジョブの印刷を実行し（印刷処理）、印刷された用紙が排紙トレイ２３に排紙されて排紙完了を印刷部１１が検出すると、ステップＳ２にて印刷制御部２９が待機（予約）印刷ジョブの有無を判別する（印刷制御処理）。
【００５８】
待機印刷ジョブがなくてステップＳ２がＮＯであれば終了し、待機印刷ジョブがあってステップＳ２がＹＥＳであれば、ステップＳ３にて加算部２７が排紙完了印刷ジョブと待機印刷ジョブの枚数を加算するとともに（加算処理）、印刷枚数が積算基準枚数を超えるか否か印刷制御部２９が判別する（印刷制御処理）。
【００５９】
加算枚数が積算基準枚数を超えずにステップＳ３がＮＯであれば、ステップＳ７に移り、印刷制御部２９が待機印刷ジョブの印刷を開始制御するとともに、印刷動作を停止させるための停止期間カウント値をクリアして終了する（印刷制御処理）。
【００６０】
加算枚数が積算基準枚数を超えていてステップＳ３がＹＥＳであればステップＳ４に移り、ステップＳ４にて印刷制御部２９が待機印刷ジョブの印刷開始を停止（保留）制御するとともに、停止期間カウントを開始してステップＳ５に移る（印刷制御処理）。
【００６１】
ステップＳ５では印刷制御部２９が待機印刷ジョブの印刷停止および排紙用紙の除去を求める警告情報９ｅ「印刷を停止します。排紙トレイの用紙を取り除いてください。」を操作パネル部９に表示制御し、使用者に通知可能状態を作り、ステップＳ６にて停止期間が基準期間を超えたか否か印刷制御部２９が判別する（印刷制御処理）。
【００６２】
停止期間が基準期間を超えていてステップＳ６がＹＥＳであればステップＳ７に移ってステップＳ７を処理し、停止期間が基準期間を超えずにステップＳ６がＮＯであればステップＳ８に移り、排紙トレイ２３における用紙除去の有無を印刷制御部２９が判別する（印刷制御処理）。
【００６３】
用紙が除去されてステップＳ８がＹＥＳであれば、ステップＳ７に移ってステップＳ７を処理し、用紙が除去されずにステップＳ８がＮＯであれば、ステップＳ６に戻ってステップＳ８がＹＥＳになるまでそれらを繰り返す（印刷制御処理）。
【００６４】
これらの主要な処理が、本発明の画像形成方法を構成する。
【００６５】
このように本発明に係る画像形成装置は、入力された印刷ジョブを順次待機する記憶部（ジョブ待機部）７と、待機された印刷ジョブを用紙に順次画像形成して印刷し、排紙トレイに排紙する印刷部１１と、排紙完了した直近の印刷ジョブの印刷枚数と記憶部７に待機して次に印刷される待機印刷ジョブの印刷枚数とをそれらの間で加算する加算部２７と、その記憶部７の印刷ジョブを印刷部１１にて順次印刷制御するとともに、その加算部による加算値が排紙トレイに係る積算基準枚数を超えるとき待機印刷ジョブの排紙を基準期間にわたって停止制御する印刷制御部２９とを具備している。
【００６６】
そのため、簡単な構成により、排紙トレイ２３において、排紙用紙の積載量超えが生じても、処理済み印刷ジョブに続く印刷ジョブの途中で排紙が停止し難く、生産性の維持を図り易い。
【００６７】
この点、従来の画像形成装置では、排紙トレイ２３の積載量が所定値を超えることによって動作停止する処理が同一印刷ジョブ内に限られ、印刷ジョブを跨る印刷出力枚数超えを検出しないため、待機印刷ジョブが続いて実行されると、排紙トレイ２３の積載量超えによる排紙部でのＪＡＭが発生する可能性があった。
【００６８】
さらに、積載量超えによる停止時に、排出トレイ２３においては、排紙完了した印刷済み用紙と、待機印刷ジョブに係る排紙用紙が混在し易く、排紙トレイ２３から取り除いた後の用紙仕分け作業も煩雑であり、本発明によってそれらが改善される。
【００６９】
そして、印刷制御部２９が、その基準期間の経過後、その待機印刷ジョブの印刷を開始制御するから、処理済み印刷ジョブの除去を使用者に促し易く、生産性の維持を図り易い。
【００７０】
また、印刷制御部２９が、その待機印刷ジョブの排紙を停止制御するとき、当該停止に係る警告を出力するから、使用者に注意を促し易く、生産性の維持を図り易い。
【００７１】
さらに、印刷制御部２９が、その警告として、排紙された用紙除去を求める指示を表示部に表示制御するから、処理済み印刷ジョブの除去を使用者に促し易く、生産性の維持を図り易い。
【００７２】
さらにまた、操作パネル部（入力部）９が、外部からの続行指示入力を受け、上記印刷制御部２９が、その基準期間の経過中に入力部からの続行指示入力に基づき待機印刷ジョブの印刷を開始制御するから、使用者の希望に応じて待機印刷ジョブの印刷を開始するから、印刷ジョブの印刷を早めることが容易である。
【００７３】
ところで、上述した本発明の画像形成装置では、排紙トレイ２３部分に用紙検出センサを配置しなくとも実施可能であるが、上述したように、排紙トレイ２３に検出部２５を配置することにより、以下の効果を得ることが可能である。
【００７４】
すなわち、停止期間の経過中に検出部２５による用紙なし検出に基づき待機印刷ジョブの印刷を開始制御するから、処理済み印刷ジョブの除去に応じて待機印刷ジョブの印刷を自動的に開始可能で、印刷ジョブの印刷を早めることが容易である。
【００７５】
さらに、本発明の画像形成方法は、上述した画像形成装置Ａに搭載されて実行され、本発明の画像形成装置Ａと同様な効果を有する。
【符号の説明】
【００７６】
１  印刷制御部
３  画像読取部
５  通信部
７  記憶部（ジョブ待機部）
９  操作パネル部（表示部、入力部）
９ａ  用紙選択画面
９ｂ  用紙選択キー
９ｃ  開始キー
９ｄ  中止キー
９ｅ  エラーメッセージ
１１  印刷部
１３  本体ケース
１５ａ、１５ｂ  給紙段
１７  転写部
２１  定着部
２３  反転搬送部
２５  排紙トレイ
２５  検出部
２７  加算部
２９  印刷制御部
Ａ  画像形成装置
【図１】
2011112929.tif 000003
【図２】
2011112929.tif 000004
【図３】
2011112929.tif 000005
【図４】
2011112929.tif 000006
【図５】
2011112929.tif 000007